(57)【特許請求の範囲】
【請求項１】
本体の上面に設けたトッププレートと、
前記トッププレートの下方に設けられ前記トッププレート上の被加熱調理容器を加熱する略円形状の加熱コイルと、
前記トッププレートと前記加熱コイルとの間に配された断熱材と、
前記加熱コイルを保持するコイルベースと、
前記加熱コイルの下方に位置し前記コイルベースに配設されるフェライトと、
前記加熱コイルと前記フェライトとの間に位置する絶縁シートと、
前記コイルベースと前記フェライトとを固定する第１の固定手段と、
前記フェライトと前記絶縁シートとを固定する第２の固定手段と、
前記絶縁シートと前記加熱コイルとを固定する第３の固定手段と、
前記加熱コイルと前記断熱材とを固定する第４の固定手段と、
を備え、
前記第１ないし第４の固定手段の少なくとも１つの固定手段は、シート状とし、前記第１ないし第４の固定手段の各々の少なくとも一部の表皮層により前記コイルベースと前記フェライトと前記絶縁シートと前記加熱コイルと前記断熱材の各々を保持するように、常温で粘着性を有するように構成するとともに、前記第１ないし第４の固定手段の各々の少なくとも一部を前記加熱コイルの加熱時の熱で前記コイルベースと前記フェライトと前記絶縁シートと前記加熱コイルと前記断熱材の各々を固着すると共に、
前記加熱コイルは前記断熱材を介して前記トッププレートから前記コイルベースに押し付けられるように保持された誘導加熱調理器。
【請求項２】
前記第１ないし第４の固定手段はエポキシ等の熱硬化性接着材の硬化途中で反応を停止しシート状に形成して、前記第１ないし第４の固定手段の表皮層を、常温で粘着性を有するように構成するとともに、前記第１ないし第４の固定手段は前記加熱コイルの加熱時の熱で前記コイルベースと前記フェライトと前記絶縁シートと前記加熱コイルと前記断熱材の各々を固着するように構成して、
該誘導加熱調理器を組み立て時に、前記コイルベースと前記フェライトとの固定と、前記フェライトと前記絶縁シートとの固定と、前記絶縁シートと前記加熱コイルとの固定と、
前記加熱コイルと前記断熱材との固定とを、前記第１ないし第４の固定手段の表皮層の粘着性で、一時固定して組み立てたのち、前記加熱コイルの加熱時の熱で被固定物を固着するように構成してある請求項１記載の誘導加熱調理器。
【請求項３】
本体の上面に設けたトッププレートと、
前記トッププレートの下方に設けられ前記トッププレート上の被加熱調理容器を加熱する略円形状の加熱コイルと、
前記トッププレートと前記加熱コイルとの間に配された断熱材と、
前記加熱コイルを保持するコイルベースと、
前記加熱コイルの下方に位置し前記コイルベースに配設されるフェライトと、
前記コイルベースと前記フェライトとを固定する第１の固定手段と、
前記フェライトと前記加熱コイルとを固定する第５の固定手段と、
前記加熱コイルと前記断熱材とを固定する第４の固定手段と、
を備え、
前記第１、第４、第５の固定手段の少なくとも１つの固定手段は、シート状とし、前記第１、第４、第５の固定手段の各々の少なくとも一部の表皮層により前記コイルベースと前記フェライトと前記加熱コイルと前記断熱材の各々を保持するように、常温で粘着性を有するように構成するとともに、前記第１、第４、第５の固定手段の各々の少なくとも一部を前記加熱コイルの加熱時の熱で前記コイルベースと前記フェライトと前記加熱コイルと前記断熱材の各々を固着すると共に、
前記加熱コイルは前記断熱材を介して前記トッププレートから前記コイルベースに押し付けられるように保持された誘導加熱調理器。
【請求項４】
前記第１、第４、第５の固定手段はエポキシ等の熱硬化性接着材の硬化途中で反応を停止しシート状に形成して、前記第１、第４、第５の固定手段の表皮層を、常温で粘着性を有するように構成するとともに、前記第１、第４、第５の固定手段は前記加熱コイルの加熱時の熱で前記コイルベースと前記フェライトと前記加熱コイルと前記断熱材の各々を固着するように構成して、
該誘導加熱調理器を組み立て時に、前記コイルベースと前記フェライトとの固定と、前記フェライトと前記加熱コイルとの固定と、前記加熱コイルと前記断熱材との固定とを、前記第１、第４、第５の固定手段の表皮層の粘着性で、一時固定して組み立てたのち、前記加熱コイルの加熱時の熱で被固定物を固着するように構成してある請求項３記載の誘導加熱調理器。
【発明の詳細な説明】
【技術分野】
【０００１】
本発明は、誘導加熱調理器における加熱コイルの組み立て方法に関する。
【背景技術】
【０００２】
近年、火を使わない、燃焼ガスの出ない安全でクリーンな熱源として誘導加熱調理器が普及してきている。この誘導加熱調理器は誘導加熱のための加熱コイルと、加熱コイルに高周波電流を制御可能に供給する制御回路上に様々な電子部品とを備えている。
【０００３】
そして、誘導加熱調理器はガス加熱に比べて高い熱効率であるものの、被調理鍋の材質
による被透磁率や抵抗率によって加熱効率が異なり、相対的に熱効率の低い条件下では熱損失が増大し、その分加熱コイル等の部品の発熱が増大するため、安定した加熱調理を行うために、加熱コイルの構造が重要となり、種々の改良がなされている。
【０００４】
この種の誘導加熱調理器の加熱コイルの構成としては、簡便な方法で放熱板の所定位置に加熱コイルおよびコイルベースを固定する構成としたものがある。（例えば、特許文献１参照）
例えば、図５に示す誘導加熱調理器において、被調理鍋（図示せず）が載置されるトップレート１０１の下方に配置されるコイルユニット１０２は加熱コイル１０３と、加熱コイル１０３が載置されるフェライト１０４と、フェライト１０４を保持するコイルベース１０５で構成されている。
【０００５】
そして、コイルベース１０５の上面側に突出した、放射状に複数本配置された棒状のフェライト１０４が加熱コイル１０３下面に直接接触して保持しており、加熱コイル１０３の発熱を熱伝導によって、フェライト１０４に積極的に伝熱される構造となっている。
【０００６】
ここで、加熱コイル１０３とフェライト１０４の間隙に熱伝導性の高い熱伝導部材を充填して、加熱コイル１０３の熱拡散を良好にすれば、より効率よく加熱コイル１０３を冷却できる。
【０００７】
その熱伝導部材は、例えばアルミ等の粉末（フィラー）を充填させたシリコンゴム板や熱硬化性の接着材でもよいし、熱伝導性グリースなどでもよい。
【先行技術文献】
【特許文献】
【０００８】
【特許文献１】特開２００５−３０２４０６号公報
【発明の概要】
【発明が解決しようとする課題】
【０００９】
しかしながら、従来の構成では、加熱コイル１０３とフェライト１０４の間隙に熱伝導性の高い熱伝導部材を充填するようになっていて、その熱伝導部材は、例えばアルミ等の粉末（フィラー）を充填させたシリコンゴム板や熱硬化性の接着材でもよいし、熱伝導性グリースなどでもよいため、加熱コイル１０３とフェライト１０４の固定は、熱硬化性の接着材以外では別の固定手段が必要となり、構成が複雑となって、工数が増えてしまう課題があった。
【００１０】
また、熱硬化性の接着材では、液状態で加熱コイル１０３あるいはフェライト１０４に塗布して貼り合わせた後、固定治具で固定して保持し加熱することで固定するため、組み立て性が悪く、工数がかかる上に、加熱・冷却の保持時間が多くかかったり、接着加熱時の固定治具が多数必要になったりする課題や、さらに、塗布した熱硬化性の接着材が加熱硬化時に粘性が下がるとともに熱膨張して、周辺に流れ出して意図しないところで硬化してしまうなどの心配があった。
【００１１】
本発明は、前記従来の課題を解決するもので、組み立て時の加熱コイルなどを定位置に保持する仮固定と、接着材の硬化による本固定を分けて行うとともに、接着材の硬化を加熱コイルの加熱時の熱で被固定物を固着するように構成して組み立て性の向上を図るとともに、加熱コイルなどを組み立てた状態で本固定することで組み立ての位置形状に沿いやすく固定して、不要なストレスを生じさせず品質・性能の向上を図ることを目的とする。
【課題を解決するための手段】
【００１２】
前記従来の課題を解決するために、本発明の誘導加熱調理器は、本体の上面に設けたトッププレートと、前記トッププレートの下方に設けられ前記トッププレート上の被加熱調理容器を加熱する略円形状の加熱コイルと、前記トッププレートと前記加熱コイルとの間に配された断熱材と、前記加熱コイルを保持するコイルベースと、前記加熱コイルの下方に位置し前記コイルベースに配設されるフェライトと、前記加熱コイルと前記フェライトとの間に位置する絶縁シートと、前記コイルベースと前記フェライトとを固定する第１の固定手段と、前記フェライトと前記絶縁シートとを固定する第２の固定手段と、前記絶縁シートと前記加熱コイルとを固定する第３の固定手段と、前記加熱コイルと前記断熱材とを固定する第４の固定手段と、を備え、前記第１ないし第４の固定手段の少なくとも１つの固定手段は、シート状とし、前記第１ないし第４の固定手段の各々の少なくとも一部の表皮層により前記コイルベースと前記フェライトと前記絶縁シートと前記加熱コイルと前記断熱材の各々を保持するように、常温で粘着性を有するように構成するとともに、前記第１ないし第４の固定手段の各々の少なくとも一部を前記加熱コイルの加熱時の熱で前記コイルベースと前記フェライトと前記絶縁シートと前記加熱コイルと前記断熱材の各々を固着すると共に、前記加熱コイルは前記断熱材を介して前記トッププレートから前記コイルベースに押し付けられるように保持されている。
【００１３】
また、第１ないし第４の固定手段はエポキシ等の熱硬化性接着材の硬化途中で反応を停止しシート状に形成して、前記第１ないし第４の固定手段の表皮層を、常温で粘着性を有するように構成するとともに、前記第１ないし第４の固定手段は前記加熱コイルの加熱時の熱で前記コイルベースと前記フェライトと前記絶縁シートと前記加熱コイルと前記断熱材の各々を固着するように構成して、該誘導加熱調理器を組み立て時に、前記コイルベースと前記フェライトとの固定と、前記フェライトと前記絶縁シートとの固定と、前記絶縁シートと前記加熱コイルとの固定と、前記加熱コイルと前記断熱材との固定とを、前記第１ないし第４の固定手段の表皮層の粘着性で、一時固定して組み立てたのち、前記加熱コイルの加熱時の熱で被固定物を固着するように構成してある。
【００１４】
また、本体の上面に設けたトッププレートと、前記トッププレートの下方に設けられ前記トッププレート上の被加熱調理容器を加熱する略円形状の加熱コイルと、前記トッププレートと前記加熱コイルとの間に配された断熱材と、前記加熱コイルを保持するコイルベースと、前記加熱コイルの下方に位置し前記コイルベースに配設されるフェライトと、前記コイルベースと前記フェライトとを固定する第１の固定手段と、前記フェライトと前記加熱コイルとを固定する第５の固定手段と、前記加熱コイルと前記断熱材とを固定する第４の固定手段と、を備え、前記第１、第４、第５の固定手段の少なくとも１つの固定手段は、シート状とし、前記第１、第４、第５の固定手段の各々の少なくとも一部の表皮層により前記コイルベースと前記フェライトと前記加熱コイルと前記断熱材の各々を保持するように、常温で粘着性を有するように構成するとともに、前記第１、第４、第５の固定手段の各々の少なくとも一部を前記加熱コイルの加熱時の熱で前記コイルベースと前記フェライトと前記加熱コイルと前記断熱材の各々を固着すると共に、前記加熱コイルは前記断熱材を介して前記トッププレートから前記コイルベースに押し付けられるように保持されている。
【００１５】
また、前記第１、第４、第５の固定手段はエポキシ等の熱硬化性接着材の硬化途中で反応を停止しシート状に形成して、前記第１、第４、第５の固定手段の表皮層を、常温で粘着性を有するように構成するとともに、前記第１、第４、第５の固定手段は前記加熱コイルの加熱時の熱で前記コイルベースと前記フェライトと前記絶縁シートと前記加熱コイルと前記断熱材の各々を固着するように構成して、該誘導加熱調理器を組み立て時に、前記コイルベースと前記フェライトとの固定と、前記フェライトと前記加熱コイルとの固定と、前記加熱コイルと前記断熱材との固定とを、前記第１、第４、第５の固定手段の表皮層の粘着性で、一時固定して組み立てたのち、前記加熱コイルの加熱時の熱で被固定物を固
着するように構成してある。
【００１６】
上記した構成により、コイルベースと複数のフェライトおよび絶縁シートの固定手段の一部をあるいはすべてを、シート状で該表皮層が常温で粘着性を有し、加熱コイルの加熱時の熱で硬化するようにしてある。
【００１７】
また、固定手段はエポキシ等の熱硬化性接着材の硬化途中で反応を停止しシート状に形成して表皮層を常温で粘着性を有するようにあるので、組み立て時の加熱コイルなどを定位置に保持する仮固定と接着材の硬化による本固定を分けて行うことができるようになる。
【００１８】
つまり、コイルベースと複数のフェライトおよび絶縁シートのいずれかあるいはすべてを固定手段の表皮層の粘着性で仮固定して組み立てるので組み立て性が大幅に向上するとともに、加熱コイルの加熱時の熱で被固定物を固着することができるので、接着加熱時の固定治具が不要になる。
【００１９】
また、製造時の検査工程での加熱動作確認時や、さらに、該誘導加熱調理器を購入した使用者が使用するときの加熱動作時に加熱コイルの加熱時の熱で被固定物を固着するようにすることで、被固定物を固定する際に必要な加熱・冷却の保持時間を不要とすることができ、大幅に組み立て時間を削減できるようになる。
【００２０】
また、固定手段はエポキシ等の熱硬化性接着材の硬化途中で反応を停止しシート状に形成してあるので、固定手段を被固定物を固定する部分の形状にすることで、被固定物からはみ出すこともなく、熱硬化性の接着材が加熱硬化時に粘性が下がるとともに熱膨張して、周辺に流れ出して意図しないところで硬化してしまう心配もなくなる。
【００２１】
さらに、組み立てた状態で本固定することで、固定する被固定物が組み立ての位置形状に沿った状態で固定されるため、固定する被固定物の加熱固定時のばらつきなどの影響で各部品が干渉して生じる不要なストレスを生じさせず、組み立ての位置形状に沿いやすく被固定物を固定して品質・性能の向上を図ることができるようになる。
【発明の効果】
【００２２】
本発明の誘導加熱調理器は、組み立て時の加熱コイルなどを定位置に保持する仮固定と、接着材の硬化による本固定を分けて行うとともに、接着材の硬化を加熱コイルの加熱時の熱で被固定物を固着するように構成して組み立て性が大幅に向上をできるとともに、加熱コイルなどを組み立てた状態で本固定することで組み立ての位置形状に沿いやすく固定して、不要なストレスを生じさせず品質・性能の向上を図ることができるようになる。
【図面の簡単な説明】
【００２３】
【図１】本発明の実施の形態１における加熱調理器の要部断面図
【図２】同加熱調理器の要部組立て構成図
【図３】同加熱調理器の平面図
【図４】同加熱調理器の制御ブロック図
【図５】従来の加熱調理器の要部断面図
【発明を実施するための形態】
【００２４】
従来の課題を解決するために、第１の発明にかかる誘導加熱調理器は、本体の上面に設けたトッププレートと、前記トッププレートの下方に設けられ前記トッププレート上の被加熱調理容器を加熱する略円形状の加熱コイルと、前記トッププレートと前記加熱コイルとの間に配された断熱材と、前記加熱コイルを保持するコイルベースと、前記加熱コイル
の下方に位置し前記コイルベースに配設されるフェライトと、前記加熱コイルと前記フェライトとの間に位置する絶縁シートと、前記コイルベースと前記フェライトとを固定する第１の固定手段と、前記フェライトと前記絶縁シートとを固定する第２の固定手段と、前記絶縁シートと前記加熱コイルとを固定する第３の固定手段と、前記加熱コイルと前記断熱材とを固定する第４の固定手段と、を備え、前記第１ないし第４の固定手段は、シート状とし、前記第１ないし第４の固定手段の各々の少なくとも一部の表皮層により前記コイルベースと前記フェライトと前記絶縁シートと前記加熱コイルと前記断熱材の各々を保持するように、常温で粘着性を有するように構成するとともに、前記第１ないし第４の固定手段の各々の少なくとも一部を前記加熱コイルの加熱時の熱で前記コイルベースと前記フェライトと前記絶縁シートと前記加熱コイルと前記断熱材の各々を固着すると共に、前記加熱コイルは前記断熱材を介して前記トッププレートから前記コイルベースに押し付けられるように保持されている。
【００２５】
また、第２の発明にかかる誘導加熱調理器は、前記第１ないし第４の固定手段はエポキシ等の熱硬化性接着材の硬化途中で反応を停止しシート状に形成して、前記第１ないし第４の固定手段の表皮層を、常温で粘着性を有するように構成するとともに、前記第１ないし第４の固定手段は前記加熱コイルの加熱時の熱で前記コイルベースと前記フェライトと前記絶縁シートと前記加熱コイルと前記断熱材の各々を固着するように構成して、該誘導加熱調理器を組み立て時に、前記コイルベースと前記フェライトとの固定と、前記フェライトと前記絶縁シートとの固定と、前記絶縁シートと前記加熱コイルとの固定と、前記加熱コイルと前記断熱材との固定とを、前記第１ないし第４の固定手段の表皮層の粘着性で、一時固定して組み立てたのち、前記加熱コイルの加熱時の熱で被固定物を固着するように構成してある。
【００２６】
また、第３の発明にかかる誘導加熱調理器は、本体の上面に設けたトッププレートと、前記トッププレートの下方に設けられ前記トッププレート上の被加熱調理容器を加熱する略円形状の加熱コイルと、前記トッププレートと前記加熱コイルとの間に配された断熱材と、前記加熱コイルを保持するコイルベースと、前記加熱コイルの下方に位置し前記コイルベースに配設されるフェライトと、前記コイルベースと前記フェライトとを固定する第１の固定手段と、前記フェライトと前記加熱コイルとを固定する第５の固定手段と、前記加熱コイルと前記断熱材とを固定する第４の固定手段と、を備え、前記第１、第４、第５の固定手段は、シート状とし、前記第１、第４、第５の固定手段の各々の少なくとも一部の表皮層により前記コイルベースと前記フェライトと前記加熱コイルと前記断熱材の各々を保持するように、常温で粘着性を有するように構成するとともに、前記第１、第４、第５の固定手段の各々の少なくとも一部を前記加熱コイルの加熱時の熱で前記コイルベースと前記フェライトと前記加熱コイルと前記断熱材の各々を固着すると共に、前記加熱コイルは前記断熱材を介して前記トッププレートから前記コイルベースに押し付けられるように保持されている。
【００２７】
また、第４の発明にかかる誘導加熱調理器は、前記第１ないし第４の固定手段はエポキシ等の熱硬化性接着材の硬化途中で反応を停止しシート状に形成して、前記第１ないし第４の固定手段の表皮層を、常温で粘着性を有するように構成するとともに、前記第１ないし第４の固定手段は前記加熱コイルの加熱時の熱で前記コイルベースと前記フェライトと前記絶縁シートと前記加熱コイルと前記断熱材の各々を固着するように構成して、該誘導加熱調理器を組み立て時に、前記コイルベースと前記フェライトとの固定と、前記フェライトと前記絶縁シートとの固定と、前記絶縁シートと前記加熱コイルとの固定と、前記加熱コイルと前記断熱材との固定とを、前記第１ないし第４の固定手段の表皮層の粘着性で、一時固定して組み立てたのち、前記加熱コイルの加熱時の熱で被固定物を固着するように構成してある。
【００２８】
そして、コイルベースと複数のフェライトおよび絶縁シートの固定手段の一部をあるいはすべてを、シート状で該表皮層が常温で粘着性を有し、加熱コイルの加熱時の熱で硬化するようにしてあり、また、固定手段はエポキシ等の熱硬化性接着材の硬化途中で反応を停止しシート状に形成して表皮層を常温で粘着性を有するようにあるので、組み立て時の加熱コイルなどを定位置に保持する仮固定と接着材の硬化による本固定を分けて行うことができるようになる。
【００２９】
つまり、コイルベースと複数のフェライトおよび絶縁シートのいずれかあるいはすべてを固定手段の表皮層の粘着性で仮固定して組み立てるので組み立て性が大幅に向上するとともに、加熱コイルの加熱時の熱で被固定物を固着することができるので、接着加熱時の固定治具が不要になる。また、製造時の検査工程での加熱動作確認時や、さらに、該誘導加熱調理器を購入した使用者が使用するときの加熱動作時に加熱コイルの加熱時の熱で被固定物を固着するようにすることで、被固定物を固定する際に必要な加熱・冷却の保持時間を不要とすることができ、大幅に組み立て時間を削減できるようになる。
【００３０】
また、固定手段はエポキシ等の熱硬化性接着材の硬化途中で反応を停止しシート状に形成してあるので、固定手段を被固定物を固定する部分の形状にすることで、被固定物からはみ出すこともなく、熱硬化性の接着材が加熱硬化時に粘性が下がるとともに熱膨張して、周辺に流れ出して意図しないところで硬化してしまう心配もなくなる。
【００３１】
さらに、組み立てた状態で本固定することで、固定する被固定物が組み立ての位置形状に沿った状態で固定されるため、固定する被固定物の加熱固定時のばらつきなどの影響で各部品が干渉して生じる不要なストレスを生じさせず、組み立ての位置形状に沿いやすく被固定物を固定して品質・性能の向上を図ることができるようになる。
【００３２】
そして、該誘導加熱調理器が組み立てられたときに加熱コイルは直接的にあるいは間接的にトッププレートからコイルベースに押しつけられるように保持して、加熱コイルの加熱時の熱で固定手段で加熱コイルとコイルベースとを固着するようになっているので、加熱コイルは、コイルベースに密着して取り付けられるとともに、加熱コイルはトッププレートにも密着あるいは断熱材等を介し所定の距離を維持できるようになり、位置ばらつき等が低減でき、トッププレートを介して加熱コイルによる被加熱物の加熱が安定してできるようになる。
【００３３】
以下、本発明の実施の形態について、図面を参照しながら説明する。なお、この実施の形態によって本発明が限定されるものではない。
【００３４】
（実施の形態１）
図１は、本発明の実施の形態１における加熱調理器の要部断面図、図２は、同加熱調理器の要部組立て構成図、図３は同加熱調理器の平面図、図４は同加熱調理器の制御ブロック図である。
【００３５】
図１〜図４に示すように、本体１の天面は鍋などの被加熱調理容器２を載置するトッププレート３で形成され、その一部に操作部４が設けてある。
【００３６】
トッププレート３の内側には被加熱調理容器２を加熱する略円形状の加熱コイル５と、上記加熱コイル５の運転や電源供給するインバータ６を制御する制御部７が配置されていて、制御部７が、インバータ６のスイッチング半導体をオン，オフしてインバータ６の高周波発振を制御するとともに発振動作の起動，停止も制御している。
【００３７】
上記インバータ６は、周波数変換装置の一つで、電源整流器，フィルタコンデンサ，共
振コンデンサ，スイッチング半導体などを含み、商用電源８を高周波電流に変換し、この高周波電流を加熱コイル５に供給して、加熱コイル５は被加熱調理容器２の近傍で高周波磁界を発生し被加熱調理容器２の底を加熱するようになっている。
【００３８】
そして、加熱コイル５は略同心円状直列に配設された内側および外側の二つのコイルからなり、加熱コイル５の下方には耐熱樹脂性のコイルベース９が設けられており、コイルベース９には放射状に複数の凹部９ａが設けられる。
【００３９】
凹部９ａには、集磁性を有するフェライト１０がそれぞれ内包され、下方へ向かう磁束を抑制している。ここでコイルベース９の凹部９ａの適所に、シート状の固定手段１１（固定手段１１ａ）が貼り付けてあり、フェライト１０を挿入して固定するようにしてある。
【００４０】
また、加熱コイル５とフェライト１０およびコイルベース９との間には絶縁部材としてマイカ板１２が挟持されていて、コイルベース９とフェライト１０の上面適所に固定手段１１（固定手段１１ｂ）を貼り付けた後、マイカ板１２を貼付け、さらにマイカ板１２の上面適所に固定手段１１（固定手段１１ｃ）を貼り付けた後、加熱コイル５を貼付けてある。
【００４１】
つまり、加熱コイル５とマイカ板１２、マイカ板１２とフェライト１０およびコイルベース９が接着され、加熱コイル５とマイカ板１２とコイルベース９が熱的に連結されている。
【００４２】
さらに、加熱コイル５の上面には、固定手段１１（固定手段１１ｄ）を貼り付けてあり、断熱材１３が仮固定され、加熱コイル５は断熱材１３を介して間接的にトッププレート３からコイルベース９に押しつけられるように保持してある。
【００４３】
そして、コイルベース９とフェライト１０との固定手段１１、加熱コイル５とマイカ板１２、マイカ板１２とフェライト１０およびコイルベース９、そして、加熱コイル５と断熱材１３を固定する固定手段１１は、エポキシ等の熱硬化性接着材の硬化途中で反応を停止しシート状に形成して、固定手段１１の表皮層を、常温で粘着性を有するように構成するとともに、固定手段１１は加熱コイル５の加熱時の熱で被固定物を固着するように構成してある。
【００４４】
以上のように構成された加熱調理器について、以下その動作、作用を説明する。
【００４５】
本体１の天面は鍋などの被加熱調理容器２を載置して、使用者が操作部４を操作して、所定の条件で加熱を開始すると、制御部７が、インバータ６を稼働させて高周波電流を加熱コイル５に供給し、加熱コイル５は被加熱調理容器２の近傍で高周波磁界を発生して、被加熱調理容器２の底を加熱するようになっている。
【００４６】
ここで、誘導加熱は、加熱コイル５の高周波磁界で被加熱調理容器２の底に生じる渦電流によるジュール熱を発生させ、被加熱調理容器２の底が熱を発するために熱効率は非常に高い利点があるが、被加熱調理容器２の底と加熱コイル５の距離が離れると、その分、加熱コイル５の高周波磁界と被加熱調理容器２の底の結合が弱くなり、効率が下がる傾向になる。
【００４７】
そのため、加熱コイル５の位置つまり加熱コイル５とトッププレート３の距離が組み立てばらつきなどで変動すると、加熱性能も変化してしまう心配があるが、固定手段１１で被固定物を仮固定して組み立てるので、組み立て精度が向上し、加熱性能が安定するよう
になる。
【００４８】
詳述すると、固定手段１１は、エポキシ等の熱硬化性接着材をガラスクロスに含浸させたものを硬化途中で反応を停止してシート状に形成してあり、表面の粘着性を保持した状態として、タック性を持たせて、その両面は離型紙で保持してある。
【００４９】
このシート状の固定手段１１の素材を、被固定物の固定部形状に打ち抜いて所定の形状として用い、両面テープを用いると同様に、まず、片面の離型紙を剥がして固定部に所定の形状の固定手段１１を貼付け、つぎに、貼付けた固定手段１１の残りの離型紙を剥がして被固定物を固定することで仮固定して組み立てられる。
【００５０】
具体的には、図２に示すように、まず、コイルベース９の凹部９ａに固定手段１１ａを貼付け、フェライト１０を挿入して仮固定する。次にフェライト１０を挿入したコイルベース９の上面に固定手段１１ｂを貼付け、マイカ板１２を載置して仮固定する。
【００５１】
次に、マイカ板１２の上面に固定手段１１ｃを貼付け、加熱コイル５を載置して、加熱コイル５を仮固定する。さらに、加熱コイル５の上面に固定手段１１ｄを貼付け、断熱材１３を載置して、断熱材１３を仮固定する。
【００５２】
このように、部品を積み重ねながら仮固定して組み立てていくことができ、接着材等を塗布して組み立てる工法よりも、作業性が大幅に向上するとともに、組み立て精度も高くできるようになる。
【００５３】
従って、組み立て時は、固定手段１１の表皮層における常温粘着性でそれぞれの部品を、両面テープを用いると同様の手軽さで固定して、組み立て精度を向上させるとともに、組み立て性をよくし、さらに加熱コイル５の加熱時の熱で被固定物を固着させて本固定するようにして、工数を削減するようにしてある。
【００５４】
つまり、組み立て時の加熱コイル５などを定位置に保持する仮固定と接着材の硬化による本固定を分けて行うことができるようにして、仮固定して組み立てることで組み立て性を大幅に向上させるとともに、加熱コイル５の加熱時の熱で被固定物を固着して、接着加熱時の固定治具が不要になる。
【００５５】
それに加え、製造時の検査工程での加熱動作確認時や、さらに、該誘導加熱調理器を購入した使用者が使用するときの加熱動作時に加熱コイル５の加熱時の熱で被固定物を固着するようにすることで、被固定物を固定する際に必要な加熱・冷却の保持時間を不要とすることができ、大幅に組み立て時間を削減できるようになる。
【００５６】
また、固定手段１１はエポキシ等の熱硬化性接着材の硬化途中で反応を停止しシート状に形成してあるので、固定手段１１を被固定物を固定する部分の形状にすることで、被固定物からはみ出すこともなく、熱硬化性の接着材が加熱硬化時に粘性が下がるとともに熱膨張して、周辺に流れ出して意図しないところで硬化してしまう心配もなくなる。
【００５７】
さらに、組み立てた状態で本固定することで、固定する被固定物が組み立ての位置形状に沿った状態で固定されるため、固定する被固定物の加熱固定時のばらつきなどの影響で各部品が干渉して生じる不要なストレスを生じさせず、組み立ての位置形状に沿いやすく被固定物を固定して品質・性能の向上を図ることができるようになる。
【００５８】
尚、マイカ板１２の適所に加熱コイル５とコイルベース９双方に対向する領域の適所に複数のマイカ穴を設けてもよく、このマイカ穴を通じて加熱コイル５とコイルベース９を
固定する固定手段１１が直接接して固定される。
【００５９】
このため、剥離しやすく比較的機械的強度の劣るマイカ板１２を介してのみならず、直接、加熱コイル５とコイルベース９が固定され、コイルベース９とフェライト１０も接着固定されているため、加熱コイル５、コイルベース９、フェライト１０およびマイカ板１２からなるコイルユニット１４全体の機械的強度が向上する。
【００６０】
また、絶縁部材にマイカ板１２を用いることで、絶縁を確保したまま加熱コイル５とフェライト１０との間の距離を縮めることでコイルユニット１４全体の薄型化が図れ、さらに加熱コイル５が万一異常発熱しても絶縁を保つことができる。
【００６１】
また、加熱コイル５とトッププレート３との間には加熱された被加熱調理容器２から加熱コイル５への熱影響を軽減するためのセラミックファイバー等からなる断熱材１３が設けられていて、該誘導加熱調理器が組み立てられたときに加熱コイル５は間接的にトッププレート３からコイルベース９に押しつけられるように保持してある。
【００６２】
したがって、組み立てた後に加熱コイル５の加熱時の熱を利用して、固定手段１１により加熱コイル５とコイルベース９とを固着するようになっているので、加熱コイル５は、コイルベース９に密着して取り付けられるとともに、加熱コイル５はトッププレート３にも密着あるいは断熱材１３等を介し、所定の距離を維持できるようになる。
【００６３】
その結果、位置のばらつき等が低減でき、トッププレート３を介して加熱コイル５による被加熱物の加熱が安定してできるようになる。
【００６４】
尚、固定手段１１は、発泡剤を添加して、加熱コイル５の加熱時の熱で被固定物を固着するときに、発泡させて、膨らむようにしてもよい。
【００６５】
これによれば、固定手段１１に、発泡剤を添加した構成としてあるので、加熱コイル５の加熱時の熱を利用して、固定手段１１により加熱コイル５とコイルベース９とを固着するときに発泡して、リッツ線等の素線を組み合わしてできる加熱コイル５の凸凹などを埋めることができ、より強固に固着できるようになる。
【００６６】
また、固定手段１１に、軟磁性フェライト材料を添加してもよい。これによれば、固定手段１１に軟磁性フェライト材料を添加した構成としてあるので、加熱コイル５とコイルベース９との間に、加熱コイル５で発生する磁力を遮断する軟磁性フェライトを簡単な構成で位置させることができ、加熱コイル５から下方に漏れる磁力をより低減でき、加熱時の損失を低減することができるようになる。
【００６７】
さらに、本実施の形態では、固定手段１１が、加熱コイル５の加熱時の熱で被固定物を固着するように構成して説明したが、これは、別途、他の加熱手段で加熱するようにしてもよく、また、他の加熱手段の熱と加熱コイル５の加熱時の熱を組み合わせて、熱硬化性接着材の硬化の反応を完結するようにしてもよい。
【００６８】
また、本実施の形態では、コイルベース９の凹部９ａにフェライト１０を挿入して仮固定する固定手段１１ａと、フェライト１０を挿入したコイルベース９の上面とマイカ板１２を載置して仮固定する固定手段１１ｂと、マイカ板１２の上面に加熱コイル５を載置して、仮固定する固定手段１１ｃと、加熱コイル５の上面に断熱材１３を載置して仮固定する固定手段１１ｄをすべて同一とした。
【００６９】
他の実施の形態として、これは、固定手段１１の一部を他の固定方法、例えば、常温硬
化型の接着剤としてもよく、また、構成部材として、断熱材１３やマイカ板１２がなくてもよく、さらに、貼付順番等を変更してもよい。
【産業上の利用可能性】
【００７０】
以上のように、本発明にかかる誘導加熱調理器は、組み立て時の加熱コイル５などを定位置に保持する仮固定と、接着材の硬化による本固定を分けて行うとともに、接着材の硬化を加熱コイル５の加熱時の熱で被固定物を固着するように構成して組み立て性の向上を図ることができるので、加熱コイル５を用いる誘導加熱器全般に適用できる。
【符号の説明】
【００７１】
１  本体
２  被加熱調理容器
３  トッププレート
４  操作部
５  加熱コイル
６  インバータ
７  制御部
８  商用電源
９  コイルベース
９ａ  凹部
１０  フェライト
１１、１１ａ、１１ｂ、１１ｃ、１１ｄ  固定手段
１２  マイカ板
１３  断熱材
１４  コイルユニット
１０１  トップレート
１０２  コイルユニット
１０３  加熱コイル
１０４  フェライト
１０５  コイルベース
【図４】
0005605002.tif 000002
【図１】
0005605002.tif 000003
【図２】
0005605002.tif 000004
【図３】
0005605002.tif 000005
【図５】
0005605002.tif 000006